(57)【要約】【課題】薄型化の要求に応えながら、輝度ムラを避けることができる共に電子部品や光拡散部材の損傷を抑制することができる。【解決手段】この発明の折畳式携帯電話機１は、開口部２ｆが形成された筐体２と、前記開口部２ｆに対向して前記筐体２内に配設されると共に光透過性を有する光拡散部材１３と、前記開口部２ｆの開口方向における前記光拡散部材１３に対向する位置から外れた位置に配設されると共に前記光拡散部材１３に光を照射する発光部材８と、を有することを特徴としている。【選択図】図３
2008182658.tif 000002
【特許請求の範囲】
【請求項１】
開口部が形成された筐体と、
前記開口部に対向して前記筐体内に配設されると共に光透過性を有する光拡散部材と、
前記筐体内部の前記光拡散部材に対向する領域とは異なる領域に配設されると共に前記光拡散部材に光を照射する発光部材と、を有することを特徴とする携帯端末。
【請求項２】
前記発光部材は、前記光拡散部材の端面に向けて光を照射する、ことを特徴とする請求項１に記載の携帯端末。
【請求項３】
前記筐体内部における前記開口部の周縁に配設された光漏れ抑制部材をさらに備える、ことを特徴とする請求項１又は請求項２に記載の携帯端末。
【請求項４】
前記筐体の内部に配設された回路基板をさらに備え、
前記光漏れ抑制部材は、前記筐体と前記回路基板との間に配設される、ことを特徴とする請求項３に記載の携帯端末。
【請求項５】
前記光漏れ抑制部材は弾性部材で形成される、ことを特徴とする請求項３又は請求項４に記載の携帯端末。
【発明の詳細な説明】
【技術分野】
【０００１】
この発明は、筐体内に配設された発光部材を備える携帯端末に関するものである。
【背景技術】
【０００２】
筐体内に配設された発光部材を備える携帯端末としては従来、例えば本願出願人が先に開示した特許文献１記載の情報端末が知られており、この情報端末は、筐体内に配設して備える回路基板上に発光部材としての発光ダイオード（ＬＥＤ）を搭載するとともに、筐体の外側のケース部材の、上記ＬＥＤに対向する位置に開口部を形成して、その開口部の外部側に、そのケース部材よりも薄い厚みを持つ透光性のＬＥＤフィルターを嵌設してそれをＬＥＤ表示部とし、その開口部の筐体内部側に光拡散部材としての光拡散シートを貼着して、その光拡散シートの表面をＬＥＤに対向させるとともにその光拡散シートをＬＥＤフィルターとＬＥＤとの両方から離間させ、さらに筐体の外側のケース部材の内面と回路基板との間に光拡散シートを囲むように光漏れ抑制部材を配設して、着信時やメール受信時等に、ＬＥＤが発光するとその光を光拡散シートの表面の中央部で受け、光拡散シート内で光拡散シート全体に拡散させてから筐体開口部のＬＥＤフィルター（ＬＥＤ表示部）を通して外部に放出して、その着信やメール受信等を使用者に知らせている。
【特許文献１】特開平１１−１８７０９６号公報
【発明の開示】
【発明が解決しようとする課題】
【０００３】
ところで上記従来の携帯端末の構造は、光拡散性および筐体内部の防塵・防滴性には優れるものの、近年の筐体の薄型化の要求に応じるためには、光拡散シートを薄くするか、光拡散シートとその表面に対向するＬＥＤとの隙間を減らすしかない。しかし、光拡散シートを薄くする場合には、光拡散シート全体への光の拡散が不足して輝度ムラが生ずる（いわゆる目玉の状態になる）可能性があり、一方、隙間を減らす場合には、外部からそのＬＥＤ表示部に集中的な負荷が加わった場合に、光拡散シートが回路基板上のＬＥＤや他の電子部品に当接してその負荷がＬＥＤや他の電子部品まで加わり、それらの電子部品や光拡散部材が損傷する可能性も否定できないため、これらの点については改良することが望ましい。
【課題を解決するための手段】
【０００４】
この発明は、上記課題を有利に解決することを目的とするものであり、この発明の電子機器は、開口部が形成された筐体と、前記開口部に対向して前記筐体内に配設されると共に光透過性を有する光拡散部材と、前記筐体内部の前記光拡散部材に対向する領域とは異なる領域に配設されると共に前記光拡散部材に光を照射する発光部材と、を有することを特徴としている。
【発明の効果】
【０００５】
かかる発明の携帯端末にあっては、発光部材が筐体内部の光拡散部材に対向する領域とは異なる領域に配設されるため、光拡散シートを薄くする必要性が従来に比べて低減され、さらには、外部から筐体の開口部付近に負荷が加わったとしても、光拡散部材が発光部材に当接することを抑制することができるため、薄型化の要求に応えながら、輝度ムラを避けることができる共に電子部品や光拡散部材の損傷を抑制することができる。
【発明を実施するための最良の形態】
【０００６】
以下、本発明の実施の形態を実施例によって、図面に基づき詳細に説明する。ここに、図１（ａ），（ｂ）は、この発明の携帯端末の一実施例としての折畳式携帯電話機の表示側筐体内に配設された光拡散シートとＬＥＤとの位置関係を示す断面図およびその筐体の変形時の状態を示す説明図であり、図２（ａ），（ｂ）は、上記実施例の折畳式携帯電話機の全体を、表示側筐体と文字入力側筐体とを相互に開いた状態でフロントケース側およびリアケース側から見てそれぞれ示す斜視図である。なお、図中、符号１は上記各実施例の折畳式携帯電話機を示している。
【０００７】
この実施例の折畳式携帯電話機１は、図２に示すように、表示側筐体２と文字入力側筐体３とを備え、表示側筐体２は、フロントケース２ａとリアケース２ｂとが相互に嵌合されるとともにケース固定用ネジで固定されて構成され、また、文字入力側筐体３も、フロントケース３ａとリアケース３ｂとが相互に嵌合されるとともにケース固定用ネジで固定されて構成されている。そしてこれら表示側筐体２と文字入力側筐体３とは、ヒンジ部４を介して相互に開閉自在に連結されており、さらに表示側筐体２はヒンジ部４に、当該折畳式携帯電話機１の長手方向に延在する軸線周りに１８０度反転可能に連結されている。
【０００８】
表示側筐体２は、フロントケース２ａの外側に、スイッチボタンの内容を表示するスイッチボタン表示ケース２ｃが搭載されたトリムプレート２ｄが嵌着されるとともに、フロントケース２ａとリアケース２ｂとの内部に、メインＬＣＤ５と、図示しない金属製のフレームと、回路基板（図１に示す回路基板６）と、図示しないサブＬＣＤホルダーに保持されたサブＬＣＤとを順次に配置して内蔵しており、メインＬＣＤ５は、フロントケース２ａからトリムプレート２ｄを介して外部から視認可能とされ、その一方、サブＬＣＤは、リアケース２ｂの幅方向中央部の透明窓２ｅを介して外部から視認可能とされている。またその回路基板６には、スピーカ等の各種電子部品が実装されて電気的に接続されている。
【０００９】
一方、文字入力側筐体３は、フロントケース３ａとリアケース３ｂとの内部に、図示しない回路基板を内蔵するとともに、その回路基板に重ねて通電部材および電磁シールド部材としての金属製の図示しないシールドケースを内蔵しており、そのシールドケースには、複数のキースイッチを搭載した図示しないキーフレキシブル基板（キーＦＰＣ）が重ねられている。そしてそのキーＦＰＣには、図示しないキーシートが重ねて配置され、そのキーシートの上記キースイッチと対向する位置には操作キー７がそれぞれ配置され、この操作キー７がフロントケース３ａから表出している。また上記回路基板には、マイク等の各種電子部品が実装されて電気的に接続されている。
【００１０】
表示側筐体２内には、図１（ａ）に示すように、回路基板６の、リアケース２ｂに向く面に実装された、発光部材としての発光ダイオード（ＬＥＤ）８と、他の電子部品９とが配設され、また回路基板６の、フロントケース２ａに向く面に実装された多数の電子部品１０も配設されている。さらに表示側筐体２のリアケース２ｂにはその透明窓２ｅの端部に近い位置にその透明窓２ｅに沿って延在するとともに端部がＬＥＤ８に近接して位置する縦長の開口部２ｆが形成され、その開口部２ｆの外部側に、リアケース２ｂよりも薄い厚みを持つ透光性のＬＥＤフィルター１１が嵌設されて、そのＬＥＤフィルター１１が透明窓２ｅの一部をなすＬＥＤ表示部とされている。
【００１１】
さらに、その開口部２ｆの周囲のリアケース２ｂの内面には、開口部２ｆを覆うように光透過性部材としてのポリエチレンテレフタレート（ＰＥＴ）シート１２が貼着され、そのＰＥＴシート１２に開口部２ｆに対向して、開口部２ｆよりも僅かに小さいが従来と同様の厚みを持つ、光拡散部材としての例えば乳白色シリコンからなる光拡散シート１３が貼着されており、その光拡散シート１３の表面は、回路基板６上の上記電子部品９から僅かに離間してそれらと対向している。そしてここでは、ＬＥＤ８が、回路基板６に沿って横向きに発光するタイプのものとされており、図１、３に示すように表示側筐体２内の回路基板２上で光拡散シート１３に対向する領域とは異なる領域に配設されており、そのＬＥＤ８の発光面（図１では左向きの面）は、光拡散シート１３の長手方向の端面に実質的に対向している。これにより、ＬＥＤ８が発光した光がその光拡散シート１３の端面から光拡散シート１３内に入って光拡散シート１３の全体に拡散するようになっている。また、リアケース２ｂの内面に貼着されたＰＥＴシート１２と回路基板６との間には、光拡散シート１３およびＬＥＤ８を囲むように、例えば弾性体からなる光漏れ抑制部材１４が配設されている。
【００１２】
かかる実施例の折畳式携帯電話機１にあっては、表示側筐体２を薄型化するとともに輝度ムラを避けるために、光拡散シート１３を薄くせずにＬＥＤ８や他の電子部品９に近づけて配置してあるが、図１（ｂ）に示すように、その配置状態で外部から表示側筐体２の開口部付近に集中的な圧力Ｐが加わってリアケース２ｂが撓み、光拡散シート１３が電子部品９に当接しても、ＰＥＴシート１２が弾性的に変形することで光拡散シート１３が開口部２ｆ内に挿入されて光拡散シート１３が逃げることができる。それゆえここでは、光拡散シート１３の全体が挿脱部位とされているが、ＰＥＴシート１２に貼着される側の部分だけを開口部２ｆより小さくして、その部分を挿脱部位としても良い。また、上記のようにリアケース２ｂが撓んで、光拡散シート１３が回路基板６に近づいても、ＬＥＤ８は光拡散シート１３の表面（図１では下面）に対向しておらず、その表面から外れて位置しているので、光拡散シート１３と当接して損傷することがない。
【００１３】
従って、この実施例の折畳式携帯電話機１によれば、表示側筐体２の筐体厚さを減らして表示側筐体２を薄型化できるとともに、ＬＥＤ８の光が光拡散シート１３の端面から入ってそのシート全体に拡散するので輝度ムラも避けることができ、しかも薄型化した表示側筐体２に外部から負荷が加わっても、ＬＥＤ８や他の電子部品９や光拡散シート１３が損傷するのを好適に防止することができる。
【００１４】
さらに、この実施例の折畳式携帯電話機１によれば、ＰＥＴシート１２は、シート状に形成されているので、容易に弾性変形し得て、ＬＥＤ８や他の電子部品９や光拡散シート１３が損傷するのを好適に防止することができる。
【００１５】
さらに、この実施例の折畳式携帯電話機１によれば、光拡散シート１３は、ＰＥＴシート１２の、表示側筐体２の内部側の表面に対向する部位に配設されているので、ＰＥＴシート１２で保護し得て、光拡散シート１３の防塵・防滴効果を好適に向上させることができる。
【００１６】
さらに、この実施例の折畳式携帯電話機１によれば、表示側筐体２の内部における開口部２ｆの周縁に配設された光漏れ抑制部材１４をさらに備えているので、開口部２ｆ以外の部位へのＬＥＤ８からの光の漏れを好適に抑制することができる。
【００１７】
さらに、この実施例の折畳式携帯電話機１によれば、ＰＥＴシート１２は、表示側筐体２のリアケース２ｂの内面と光漏れ抑制部材１４とにより挟持されているので、リアケース２ｂからのＰＥＴシート１２の外れを好適に抑制することができる。
【００１８】
さらに、この実施例の折畳式携帯電話機１によれば、表示側筐体２の内部に配設された回路基板６をさらに備え、光漏れ抑制部材１４は、表示側筐体２のリアケース２ｂと回路基板６との間に配設されているので、光漏れ抑制部材１４によって回路基板６を好適に保護することができる。
【００１９】
さらに、この実施例の折畳式携帯電話機１によれば、光漏れ抑制部材１４は弾性部材で形成されているので、光漏れ抑制部材１４によって表示側筐体２の内部を好適に保護することができる。
【００２０】
さらに、この実施例の折畳式携帯電話機１によれば、ＬＥＤ８は、光拡散シート１３の挿脱方向における、その光拡散シート１３に対向する位置から外れて配設されているので、上記のように、リアケース２ｂが撓んで、光拡散シート１３が回路基板６に近づいても、光拡散シート１３と当接してＬＥＤ８や光拡散シート１３が損傷することがない。
【００２１】
そして、この実施例の折畳式携帯電話機１によれば、従来のように光拡散シート１３が筐体に直接配設されている構成とは異なり、光拡散シート１３がＰＲＴシート１２を介してリアケース２ｂ配設される構成となっているため、外部から負荷が加わっても、その負荷が直接光拡散シート１３に伝達されることはないので、光拡散シート１３を好適に保護することができる。この観点からすると、本実施例では光拡散シート１３は、ＰＥＴシート１２の、表示側筐体２の内部側の表面に対向する部位に配設されていたが、光拡散シート１３は、ＰＥＴシート１２の、表示側筐体２の外部側の表面に対向する部位に配設されていても良い。
【００２２】
図３は、この発明の電子機器の他の一実施例としての折畳式携帯電話機の表示側筐体内に配設された光拡散シート１３とＬＥＤ８との位置関係を示す断面図であり、この実施例では、基板６上の、光拡散シート１３の表面と対向する位置に、電子部品９が搭載されていない点のみ、先の実施例と異なっており、他の点は先の実施例と同一に構成されている。
【００２３】
かかる実施例の折畳式携帯電話機１によっても、先の実施例と同様の作用効果を得ることができ、特に、光拡散シート１３と回路基板６との間に電子部品９がないので、表示側筐体２の薄型化をより進めることができる。なお、ここにおいて、ＰＥＴシート１２をなくし、例えば光拡散シート１３を開口部２ｆを覆う大きなものにしてリアケース２ｂの内面に貼着しても良く、この場合は光拡散シート１３は光透過性部材も兼ねることになる。
【００２４】
図４（ａ），（ｂ）は、この発明の電子機器のさらに他の一実施例としての折畳式携帯電話機の表示側筐体内に配設された光拡散シートとＬＥＤとの位置関係を示す断面図およびその筐体の変形時の状態を示す説明図であり、この実施例では、基板６上の、光拡散シート１３の表面と対向する位置に、電子部品９の代わりにあるいはそれに加えて、図では上方に発光するＬＥＤ８が搭載されている点のみ、先の実施例と異なっており、他の点は先の実施例と同一に構成されている。
【００２５】
かかる実施例の折畳式携帯電話機１によっても、図４（ｂ）に示すように、その配置状態で外部から表示側筐体２の開口部付近に集中的な圧力Ｐが加わってリアケース２ｂが撓み、光拡散シート１３がＬＥＤ８に当接しても、ＰＥＴシート１２が弾性的に変形することで光拡散シート１３が開口部２ｆ内に挿入されて光拡散シート１３が逃げることができる。従って、先の実施例と同様の作用効果を得ることができる。
【００２６】
以上、図示例に基づき説明したが、この発明は上述の例に限定されるものでなく、特許請求の範囲の記載範囲内で適宜変更し得るものであり、例えばこの発明の携帯端末は、携帯電話機以外の、例えばパームトップコンピュータやゲーム機等の携帯電子機器にも、あるいはそれ以外の携帯型電子機器にも適用することができる。
【００２７】
また、上述した実施例では光透過性部材は、透明なＰＥＴシート１２としているが、その光透過性部材の一部に乳白剤や拡散剤を含ませることで光拡散性を有するようにしても良い。このようにすることにより、ＬＥＤ８から発光される光を光拡散シート１３とＰＥＴシート１２との両方により拡散させることができるため、輝度ムラを好適に抑制することができる。
【産業上の利用可能性】
【００２８】
かくしてこの発明の携帯端末によれば、筐体を薄型化できるとともにする輝度ムラも避けることができ、しかも薄型化した筐体に外部から負荷が加わっても、発光部材や他の電子部品や光拡散部材が損傷するのを好適に防止することができる。
【図面の簡単な説明】
【００２９】
【図１】（ａ），（ｂ）は、この発明の電子機器の一実施例としての折畳式携帯電話機の表示側筐体内に配設された光拡散シートとＬＥＤとの位置関係を示す断面図およびその筐体の変形時の状態を示す説明図である。
【図２】（ａ），（ｂ）は、上記実施例の折畳式携帯電話機の全体を、表示側筐体と文字入力側筐体とを相互に開いた状態でフロントケース側およびリアケース側から見てそれぞれ示す斜視図である。
【図３】この発明の電子機器の他の一実施例としての折畳式携帯電話機の表示側筐体内に配設された光拡散シートとＬＥＤとの位置関係を示す断面図である。
【図４】（ａ），（ｂ）は、この発明の電子機器のさらに他の一実施例としての折畳式携帯電話機の表示側筐体内に配設された光拡散シートとＬＥＤとの位置関係を示す断面図およびその筐体の変形時の状態を示す説明図である。
【符号の説明】
【００３０】
１  折畳式携帯電話機
２  表示側筐体
２ａ  フロントケース
２ｂ  リアケース
２ｃ  スイッチボタン表示ケース
２ｄ  トリムプレート
２ｅ  透明窓
２ｆ  開口部
３  文字入力側筐体
３ａ  フロントケース
３ｂ  リアケース
４  ヒンジ部
５  メインＬＣＤ
６  回路基板
８  ＬＥＤ
９，１０  電子部品
１１  ＬＥＤフィルター
１２  ＰＥＴシート
１３  光拡散シート
１４  光漏れ抑制部材
Ｐ  圧力
Ｔ  筐体厚さ
【図１】
2008182658.tif 000003
【図２】
2008182658.tif 000004
【図３】
2008182658.tif 000005
【図４】
2008182658.tif 000006